(57)【要約】      （修正有）【課題】発光状態が持続し、常に明るさを保つことで、その品質を使用寿命が保証されるＬＥＤ発光装置を提供する。【解決手段】少なくとも一つのＬＥＤ取付部１１、及び一つの給電部１２を備えてなる装置主体１０、少なくとも該装置主体のＬＥＤ取付部に設けられた一つのＬＥＤユニット２０が備わり、該ＬＥＤユニットは、主発光回路が設けられており、該主発光回路とは同一ＬＥＤユニットまたは異なるＬＥＤユニットの中に設けられる予備発光回路が備わり、該主発光回路と予備発光回路の間に電気的接続で設けられ、そして給電部と電気的に接続しているフェイルオーバー処理器が備わっていることを特徴とするＬＥＤ発光装置０５であり、該フェイルオーバー処理器により、自動的に判定する機能があり、主発光回路が短絡または切断、故障した場合、自動的に予備発光回路に切り替え、ＬＥＤユニットの発光状態を中断せず、持続させるようにし、ＬＥＤユニットの使用寿命が延びる。【選択図】図１
0003175536.tif 000002
【実用新案登録請求の範囲】
【請求項１】
少なくとも一つのＬＥＤ取付部１１、及び一つの給電部１２を備えてなる装置主体１０、
少なくとも、該装置主体１０のＬＥＤ取付部１１に設けられた一つのＬＥＤユニット２０よりなり、該ＬＥＤユニット２０は、主発光回路２１が設けられており、
該主発光回路２１とは同一ＬＥＤユニット２０または異なるＬＥＤユニット２０の中に設けられる予備発光回路３０が備えられ、
該主発光回路２１と予備発光回路３０の間に電気的に接続され、そして給電部１２と電気的に接続しているフェイルオーバー処理器４０が備えられ、該フェイルオーバー処理器４０は、主発光回路２１が短絡または切断、故障した場合、それを自動的に判別し、電気回路を該予備発光回路３０に切り替え、ＬＥＤユニット２０の発光状態を中断せずに、持続させるように設けられていることを特徴とするフェイルオーバー機能付きＬＥＤ発光装置。
【請求項２】
該フェイルオーバー処理器４０は、ＬＥＤユニット２０内部に設けられており、該予備発光回路３０と主発光回路２１は、同一ＬＥＤユニット２０の中に設けられ、該フェイルオーバー処理器４０は、主発光回路２１が短絡または切断、故障した場合、電気回路を予備発光回路３０に切り替えるように設けられていることを特徴とする請求項１に記載のフェイルオーバー機能のＬＥＤ発光装置。
【請求項３】
該フェイルオーバー処理器４０は、ＬＥＤユニット２０外部に設けられており、該予備発光回路３０と主発光回路２１は、同一または異なるＬＥＤユニット２０の中に設けられ、該フェイルオーバー処理器４０は、主発光回路２１が短絡または切断、故障した場合、電気回路を予備発光回路３０に切り替えるように設けられ、そして該フェイルオーバー処理器４０は、単一の制御形態または複数の制御形態に設けられてもよいことを特徴とする請求項１に記載のフェイルオーバー機能のＬＥＤ発光装置。
【請求項４】
該ＬＥＤユニット２０は、単色または多色の発光形態であることを特徴とする請求項１、２または３に記載のフェイルオーバー機能付きＬＥＤ発光装置。
【請求項５】
該ＬＥＤ発光装置０５は、ＬＥＤ交通標識形態であり、該ＬＥＤユニット２０の配置されている装置主体１０は、スタンド１３及び少なくとも一つの表示パネル１４を備えてなり、該ＬＥＤ取付部１１は該表示パネル１４に設けられ、または該ＬＥＤ発光装置０５はＬＥＤ看板、ＬＥＤ照明装置のいずれかの一つに設けられていることを特徴とする請求項１、２または３に記載のフェイルオーバー機能付きＬＥＤ発光装置。
【考案の詳細な説明】
【技術分野】
【０００１】
本考案は、ＬＥＤ発光装置に関わり、特にフェイルオーバー機能を有する構造に関する。
【背景技術】
【０００２】
どんな電子製品でも使用中に、故障する可能性があり、ＬＥＤ発光ユニットや装置も同様である。現在、ＬＥＤは屋外看板、交通標識や照明装置などの製品に幅広く用いられ、その中の一つまたは一部分のＬＥＤが故障し、点灯しない場合、こういう点灯して表される情報（例えば、文字、矢印、警告信号など）が表示されないため、見る側の識別、判別が困難、間違が生じがちである。
【０００３】
現在の発光装置に設けられたＬＥＤの修理や交換を行うとき、作業の複雑さ、電気回路の膨大な接続構造または基板の組立や位置決め形態などで、通常はその作業を直ちに行う場合が多い。電気回路を正確に切断し、関連基板を取り外してから、初めて故障箇所の修理や交換を行えるようになり、例えば交通標識単一の大型交通標識には、数百個のＬＥＤユニットが設けられた場合が多く、その中、複数のＬＥＤユニットは、基板によって一つの電気回路システムが形成され、電気回路システムの間はそれぞれ、更に電気的に接続し、コントローラによって統括し、管理されるが、そこで、一つのＬＥＤユニットが故障、損壊したりした場合、該電気回路システムのＬＥＤユニットが全部点灯されなくなる恐れがあり、この場合、復旧作業は相当の時間をかけて行なわれることになり、交通標誌の警告や指示機能に与える影響が非常に大きい。
【０００４】
上述した従来のＬＥＤ発光装置の構造に存在している問題点について、より理想的で実用性のある構造を開発するのが、使用者が望むことで、関連業者がそれを乗り越え、開発するように努力するべき目標と方向でもある。
【０００５】
それを鑑みて、発明者は関連製品の製造開発と設計に携わる長年の経験に徴し、上述した目標について実用性のある本考案を得たものである。
【考案の概要】
【考案が解決しようとする課題】
【０００６】
本考案の目的は、フェイルオーバー機能付きＬＥＤ発光装置を提供することにあり、解決しようとする課題は、従来の発光装置のＬＥＤユニットが故障した場合、復旧作業が長い時間がかかり、発光機能が長時間中断される問題点を改良することである。
【課題を解決するための手段】
【０００７】
本考案の課題を解決する技術特徴として、少なくとも一つのＬＥＤ取付部、及び一つの給電部を備えてなる装置主体、少なくとも該装置主体のＬＥＤ取付部に設けられた一つのＬＥＤユニットを有し、該ＬＥＤユニットは、主発光回路が設けられており、該主発光回路とは同一ＬＥＤユニットまたは異なるＬＥＤユニットの中に設けられる予備発光回路が備わり、該主発光回路と予備発光回路の間に電気的に接続され、かつ給電部と電気的に接続されているフェイルオーバー処理器が設けられ、該フェイルオーバー処理器は、主発光回路が短絡または切断、故障した場合、それを自動的に判別し、電気回路を該予備発光回路に切り替え、ＬＥＤユニットの発光状態を中断せずに、持続させるように設けられていることを特徴とするＬＥＤ発光装置である。従って、本考案は背景技術に比べて、ＬＥＤ発光装置の主発光回路が短絡または切断、故障したとき、自動的に予備発光回路に切り替え、発光を中断せずに持続させるようにすることで、ＬＥＤ発光装置とＬＥＤユニットの使用寿命が延び、修理の頻度低減やコスト削減が可能になるという実用性、進歩性を有し産業上の経済効果がある。
【考案の効果】
【０００８】
本考案による効果向上の事実は次の通り。
【０００９】
本考案に掲示した［フェイルオーバー機能付きＬＥＤ発光装置］は、装置主体に設けられ、主発光回路を有するＬＥＤユニット、主発光回路とは同一ＬＥＤユニットまたは異なるＬＥＤユニットの中に設けられた予備発光回路、及び、該主発光回路と予備発光回路の間に電気的に接続している一フェイルオーバー処理器により、主発光回路が短絡または切断、故障した場合、それを自動的に判別し、電気回路を該予備発光回路に切り替え、発光を持続させるようにするが、本考案は［背景技術］に比べて、従来の発光装置における一つのＬＥＤユニットが故障または切断、損壊したときに生じられるユニットの電気回路システムのＬＥＤユニットがすべて点灯できない問題点を改善できること、本考案は、該フェイルオーバー処理器により、予備発光回路に自動的に切り替え、発光状態を中断せずに持続させるようにすること、交通標識の警告や指示効果から言えば、故障の頻度を有効に低減、通行人や運転者が道標の警告や故障に対する安全性の疑いなどを大幅に低下させ、発光装置ＬＥＤユニットの使用寿命を延ばし、修理の頻度やコストを低下させるという実用性、進歩性、及び好適な産業上の経済効果があること。
【００１０】
一方、本考案のフェイルオーバー機能付きＬＥＤ発光装置の構造設計により、照明器具の面から言えば、発光状態が持続し、常に明るさを保つことで、その品質と使用寿命が保証されること。
【００１１】
上述した実施例に掲示したのは、本考案を具体的に説明するために用いられる内容であり、文の中で専門用語で説明してきたが、それを以って本考案の特許請求範囲を制限してはならず、当該技術分野の分かるものが本考案のコンセプトや考えに基づき、その変化や改造などを行って、それと同等な効果を得たとしても、すべて本考案の特許請求範囲に含まれるものとする。
【図面の簡単な説明】
【００１２】
【図１】本考案のＬＥＤ発光装置にＬＥＤユニットが配置されているときの分解立体図。
【図２】本考案のフェイルオーバー処理器がＬＥＤユニットの中に配置されている実施例の立体図。
【図３】本考案のフェイルオーバー処理器がＬＥＤユニットの中に配置されている実施例の電気回路図。
【図４】本考案のフェイルオーバー処理器がＬＥＤユニットの外部に配置されている実施例の断面図。
【図５】本考案のフェイルオーバー処理器がＬＥＤユニットの外部に配置されている実施例の電気回路図。
【図６】本考案のフェイルオーバー処理器がＬＥＤユニットの外部に配置され、複数のＬＥＤユニットが制御される場合の実施例図。
【図７】本考案の主発光回路と予備発光回路が異なるＬＥＤユニットに配置されている実施例の局所拡大図。
【図８】本考案の主発光回路と予備発光回路が異なるＬＥＤユニットまたは異なる色のＬＥＤユニットに配置されている実施例の電気回路図。
【図９】本考案のＬＥＤ発光装置は、ＬＥＤ交通標識形態である実施例の立体図。
【考案を実施するための形態】
【００１３】
図１〜図４に示すのは、本考案のフェイルオーバー機能付きＬＥＤ発光装置の好適な実施例であり、これらの実施例は説明のみに用いられるもので、特許請求の際、それらの構造に制限されないものとする。
【００１４】
少なくとも一つのＬＥＤ取付部１１及び一つの給電部１２（例えば、電池、電源など）を備えてなる装置主体１０を有し、該ＬＥＤ発光装置０５は、
少なくとも、該装置主体１０のＬＥＤ取付部１１に設けられた一つのＬＥＤユニット２０が備わり、該ＬＥＤユニット２０は、主発光回路２１（例えば、プラス極、マイナス極の半導体）が設けられるが、その際該ＬＥＤユニット２０は、単色または多色でもよい。
【００１５】
更に、該主発光回路２１とは同一ＬＥＤユニット２０または異なるＬＥＤユニット２０の中に設けられる予備発光回路３０が備えられるが、図４に示すのは、予備発光回路３０と主発光回路２１が同一ＬＥＤユニット２０の中に設けられた実施形態であり、図６〜図８に示すのは、予備発光回路３０と主発光回路２１が異なるＬＥＤユニット２０の中に設けられた実施形態である。
【００１６】
該主発光回路２１と予備発光回路３０の間に電気的接続を有して設けられ、そして給電部１２と電気的に接続しているフェイルオーバー処理器４０が備えられ、該フェイルオーバー処理器４０は、ＬＥＤユニット２０内部またはその外部いずれに設けられてもよいが、例えば、図３、図４に示すように、フェイルオーバー処理器４０がＬＥＤユニット２０内部に設けられた実施形態にあっては、該予備発光回路３０と主発光回路２１も同一ＬＥＤユニット２０内部に設けられている（この場合、該フェイルオーバー処理器４０は単一の制御形態）が、該フェイルオーバー処理器４０は、主発光回路２１が短絡または切断、故障した場合（開回路で電気が切断している状態）、電気回路を予備発光回路３０に切り替え、ＬＥＤユニット２０の発光状態（閉回路で電気が接続している場合）を、中断せずに持続させるようにするが、図４、図５に示すように、フェイルオーバー処理器４０がＬＥＤユニット２０外部に設けられた実施形態にあっては、該予備発光回路３０と主発光回路２１は、同一ＬＥＤユニット２０の中に設けられ、または図６に示すように、異なるＬＥＤユニット２０の中（この場合、該フェイルオーバー処理器４０は複数の制御形態）に設けられたとき、主発光回路２１のＬＥＤユニット２０が短絡、故障した場合、同じく電気回路を予備発光回路３０のＬＥＤユニット２０に切り替え、発光を持続させるように設けられている。
【００１７】
上述した構造、組合せ設計により、本考案の使用、動作について次のように説明する。
【００１８】
図２〜図５に示すように、ＬＥＤ発光装置０５の給電部１２からの電気がフェイルオーバー処理器４０、主発光回路２１と予備発光回路３０を流れているとき、該ＬＥＤユニット２０が電気的に接続し、発光することになるが、該給電部１２は、フェイルオーバー処理器４０をプラス極の入力側と、該主発光回路２１と予備発光回路３０をもマイナス極の接地側として電気供給が行われており、ＬＥＤユニット２０の主発光回路２１が短絡または切断、故障した場合、フェイルオーバー処理器４０により、自動的に予備発光回路３０に切り替え、発光状態を中断せずに持続させるようになり、ＬＥＤユニット２０の使用寿命も延びる。
【００１９】
図７、図８に示すように、フェイルオーバー処理器４０が、ＬＥＤユニット２０外部に設けられ、主発光回路２１と予備発光回路３０は異なった複数のＬＥＤユニット２０に設けられている実施例であり、該給電部１２がフェイルオーバー処理器４０をプラス極の入力側として設けられることにより、複数のＬＥＤユニット２０を同時に制御できることになり、主発光回路２１のＬＥＤユニット２０が短絡または切断、故障した場合、電気回路を予備発光回路３０のＬＥＤユニット２０に切り替え、発光を持続させるように設けられるが、その際該ＬＥＤユニット２０は、多色（例えば、赤、緑、青、黄、黄、白色またはいずれかの混合色）に設けられてもよく、そうすると、亦可透過フェイルオーバー処理器４０により、同一発光色で、異なるＬＥＤユニット２０の主発光回路２１と予備発光回路３０をも同時に制御、切り替えられ、多色で発光し、色のばらつきがなく、発光色を一致させることができる。
【００２０】
図９に示すのは、本考案の発光装置のもう一つの実施形態であり、該ＬＥＤ発光装置０５は、ＬＥＤ交通標識形態であり、該装置主体１０は、スタンド１３及び少なくとも一つの表示パネル１４を備えてなり、該ＬＥＤ取付部１１は、該表示パネル１４に設けられ、それにより、該表示パネル１４が発光し、通行人または運転者が遠くから、該表示パネル１４による表示情報をはっきりと見られ、警告や事故発生率低下などを達成させることができる。
【符号の説明】
【００２１】
ＬＥＤ発光装置  ０５         装置主体        １０  
ＬＥＤ取付部    １１         給電部          １２
スタンド      １３        表示パネル         １４
ＬＥＤユニット    ２０       主発光回路             ２１
予備発光回路   ３０  
フェイルオーバー処理器 ４０
【図１】
0003175536.tif 000003
【図２】
0003175536.tif 000004
【図３】
0003175536.tif 000005
【図４】
0003175536.tif 000006
【図５】
0003175536.tif 000007
【図６】
0003175536.tif 000008
【図７】
0003175536.tif 000009
【図８】
0003175536.tif 000010
【図９】
0003175536.tif 000011